(57)【要約】  受信機は、複数の受信機にサービスを提供する無線通信システムの送信機から無線信号を受信する。無線信号は、送信機によってサービスを提供される複数の受信機に対して、複数の制御メッセージおよび制御メッセージの少なくとも１つに冗長制御メッセージを含む。受信機は無線信号から制御メッセージを検出し、制御メッセージの検出に応答して、受信機は無線信号の別の位置からの信号を検出する。受信機は、他の位置から検出された信号に基づいて、検出された制御メッセージを受信機の特定の制御メッセージとして決定する。
2021514152.tif 000002
【特許請求の範囲】
【請求項１】
受信機であって、
前記受信機は、複数の受信機にサービスを提供する無線通信システムの送信機から無線信号を受信するように構成され、前記無線信号は、前記送信機によってサービス提供される前記複数の受信機に対して、複数の制御メッセージおよび前記制御メッセージの少なくとも１つに冗長制御メッセージを含むものであって、
前記受信機は、前記無線信号から制御メッセージを検出するように構成され、
前記受信機は、前記制御メッセージの検出に応答して、前記無線信号の別の位置から信号を検出するように構成され、
前記受信機は、前記他の位置から検出された前記信号に基づいて、前記検出された制御メッセージを前記受信機の特定の制御メッセージとして決定するように構成される受信機。
【請求項２】
前記検出された制御メッセージを前記特定の制御メッセージとして決定するために、前記受信機が、前記検出された制御メッセージと前記他の位置から検出された前記信号とを組み合わせるか相関させるように構成される、請求項１に記載の受信機。
【請求項３】
前記受信機が、
前記検出された制御メッセージと前記他の位置から検出された前記信号の前記組み合わせが前記検出された制御メッセージの信号品質以上の信号品質を有する場合、および／または復号可能なメッセージを得る場合、前記検出された制御メッセージが前記特定の制御メッセージであると決定し、
前記検出された制御メッセージと前記他の位置から検出された前記信号の前記組み合わせが前記検出された制御メッセージの信号品質未満の信号品質を有する場合、および／または復号不可能なメッセージを得る場合、前記検出された制御メッセージが前記特定の制御メッセージではないと決定するように構成される、請求項２に記載の受信機。
【請求項４】
前記受信機が、
前記検出された制御メッセージと前記他の位置から検出された前記信号との前記相関により、所定の値以上の値が得られた場合、前記検出された制御メッセージが前記特定の制御メッセージであると決定し、
前記検出された制御メッセージと前記他の位置から検出された前記信号との前記相関により、前記所定の値未満の値が得られた場合、前記検出された制御メッセージが前記特定の制御メッセージではないと決定するように構成される、請求項２または３に記載の受信機。
【請求項５】
前記冗長制御メッセージが、
−増分冗長性を提供するための前記制御メッセージの特定の冗長バージョン、または
−前記制御メッセージのエラー修正コード、または
−前記制御メッセージの複製を含む、請求項１から４のいずれか一項に記載の受信機。
【請求項６】
前記制御メッセージと前記冗長制御メッセージが前記無線信号の共通制御領域にある場合、前記他の位置は、前記共通制御領域で前記検出された制御メッセージに対する、または前記共通の制御領域の境界に対する時間および／または周波数および／または空間領域のオフセットを示し、
前記制御メッセージが前記無線信号の第１の制御領域にあり、前記冗長制御メッセージが前記無線信号の第２の制御領域にある場合、前記他の位置は、前記第２の制御領域の境界に対する時間および／または周波数および／または空間領域のオフセットを示す、請求項１から５のいずれか一項に記載の受信機。
【請求項７】
前記無線信号が、前記送信機と前記受信機との第１のリンクを定義する、第１の無線信号、および前記送信機と前記受信機との第２のリンクを定義する、第２の無線信号を含むものであって、
共通制御領域は、前記第１および第２の無線信号の１つの一部であるか、または両方の無線信号の一部であり、
前記第１の制御領域は、前記第１および第２の無線信号の１つの一部であり、前記第２の制御領域は、前記第１および第２の無線信号のもう一方である、請求項６の受信機。
【請求項８】
前記オフセットが、時間および／または周波数および／または空間でのオフセットを定義するか、またはいくつかの制御メッセージ要素でのオフセットを定義し、各制御メッセージが、１つ以上の制御メッセージ要素から形成される、請求項６または７に記載の受信機。
【請求項９】
前記受信機が前記他の位置で事前構成されるか、または前記他の位置が前記制御メッセージで示される、請求項１から８に記載の受信機。
【請求項１０】
前記制御メッセージが、前記他の位置を明示的に示すか、または複数の事前構成された位置のうちの１つへの参照を含む、請求項９に記載の受信機。
【請求項１１】
前記無線信号が、制御メッセージの少なくとも１つのさらなる冗長制御メッセージを含み、
前記受信機が、前記無線の少なくとも１つのさらなる位置からさらなる信号を検出し、前記他の位置から検出された前記信号および／または前記少なくとも１つのさらなる位置から検出された前記さらなる信号に基づいて、前記検出された制御メッセージを前記受信機の前記特定の制御メッセージとして決定するように構成される、請求項１から１０のいずれか一項に記載の受信機。
【請求項１２】
前記さらなる冗長制御メッセージが、
−増分冗長性を提供するための前記制御メッセージの特定の冗長バージョン、または
−前記制御メッセージのエラー修正コード、または
−前記制御メッセージの複製を含む、請求項１１に記載の受信機。
【請求項１３】
前記冗長制御メッセージが、前記制御メッセージの第１の冗長バージョンを含み、それぞれのさらなる冗長制御メッセージは、それぞれのさらなる冗長バージョンを含む、請求項１２に記載の受信機。
【請求項１４】
前記無線信号の前記制御領域では、前記冗長制御メッセージおよび前記少なくとも１つのさらなる冗長制御メッセージが、前記特定の制御メッセージに対してオフセットされ、
くし構造を定義するために時間で、または
ｎオフセット構造を定義するために周波数で、ｎは前記無線信号の冗長制御メッセージの数であり、または
ツリー構造を定義するために時間と周波数である、請求項１１から１３のいずれか一項に記載の受信機。
【請求項１５】
前記ツリー構造の子ノードでの信号の信号品質に基づいて、前記受信機が、前記最高の主要性能指標、ＫＰＩを持つ前記ツリーの復号化パスをたどるように構成され、それによって、ｋ冗長バージョンのログｋ復号化試行のみを必要とする、請求項１４に記載の受信機。
【請求項１６】
前記制御メッセージが、バイナリツリー構造により前記周波数領域、前記時間領域または前記空間領域に配置されるものであって、前記制御メッセージの２つ以上の冗長バージョンがそれぞれの子ノードに格納され、前記オフセットが、対応するルート／父ノードによって示される、請求項１４または１５に記載の受信機。
【請求項１７】
前記受信機が、前記検出された制御メッセージが前記特定の制御メッセージであると決定されるまで、または所定の数の検出試行に達するまで、または所定のタイマーが切れた後に前記無線信号の前記さらなる位置の１つ以上から１つ以上のさらなる信号を検出するように構成される、請求項１１から１６のいずれか一項に記載の受信機。
【請求項１８】
前記受信機が、前記他の位置からの前記信号、および前記無線信号の前記少なくとも１つのさらなる位置からの前記さらなる信号を順次または並列に検出するように構成される、請求項１１から１７のいずれか一項に記載の受信機。
【請求項１９】
前記無線信号が、基地局のような送信機から前記受信機へのダウンリンク、ＤＬ、通信の一部で、
前記制御メッセージはＤＣＩメッセージを含み、
前記無線信号はダウンリンクフレームを含み、
前記ダウンリンクフレームは、少なくとも１つの物理ダウンリンク制御チャネル、ＰＤＣＣＨ、前記制御領域としての領域を含み、前記ＰＤＣＣＨ領域は、それぞれがＤＣＩメッセージまたは冗長ＤＣＩメッセージを搬送する複数のＰＤＣＣＨを含み、
前記受信機は、前記制御メッセージのＣＲＣと前記受信機のＲＮＴＩに基づくブラインド検出を使用して、前記無線信号と前記他の位置の前記信号から制御メッセージを検出するように構成される、請求項１から１８のいずれか一項に記載の受信機。
【請求項２０】
前記無線信号が、ユーザ機器のような送信機から前記受信機へのサイドリンク、ＳＬ、通信の一部で、
前記制御メッセージはＳＣＩメッセージを含み、
前記無線信号はサイドリンクフレームを含み、
前記ダウンリンクフレームは、少なくとも１つの物理サイドリンク制御チャネル、ＰＳＣＣＨ、前記制御領域としての領域を含み、前記ＰＳＣＣＨ領域は、それぞれがＳＣＩメッセージまたは冗長ＳＣＩメッセージを搬送する複数のＰＳＣＣＨを含み、
前記受信機は、前記制御メッセージのＣＲＣと前記受信機のＲＮＴＩに基づくブラインド検出を使用して、前記無線信号と前記他の位置の前記信号から制御メッセージを検出するように構成される、請求項１から１９のいずれか一項に記載の受信機。
【請求項２１】
前記制御メッセージが、前記ＰＤＣＣＨに配置され、または前記ＰＳＣＣＨＨが、１つ以上の制御チャネル要素、制御リソースセット内のＣＣＥ、ＣＯＲＥＳＥＴを含む、請求項１から２０のいずれか一項に記載の受信機。
【請求項２２】
送信機であって、
前記送信機は、無線通信システムの複数の受信機にサービスするように構成され、
前記送信機は、無線信号を提供するように構成され、前記無線信号は、前記送信機によってサービスを提供される前記複数の受信機に対して、複数の制御メッセージおよび前記制御メッセージの少なくとも１つに冗長制御メッセージを含む送信機。
【請求項２３】
特定の受信機が、前記無線信号の別の位置からの信号に基づいて、前記無線信号から検出された制御メッセージを前記特定の受信機の特定の制御メッセージとして決定する、請求項２２に記載の送信機。
【請求項２４】
前記無線信号が、制御メッセージの少なくとも１つのさらなる冗長制御メッセージを含む、請求項２２または２３に記載の送信機。
【請求項２５】
無線通信システムであって、
請求項１から２１のいずれか一項に記載の１つ以上の受信機と、
請求項２２から２４のいずれか一項に記載の１つ以上の送信機を含む無線通信システム。
【請求項２６】
前記無線通信システムが、
地上ネットワーク、または
非地上ネットワーク、または
航空機または宇宙船を受信機として使用するネットワークまたはネットワークのセグメント、または
それらの組み合わせを含む、請求項２５に記載の無線通信システム。
【請求項２７】
前記受信機が、
モバイルまたは固定端末と、
ＩｏＴデバイスと、
地上車両と、
航空機と、
ドローンと、
建物、または
センサーまたはアクチュエーターのような前記無線通信システムを使用して前記アイテム／デバイスが通信できるようにするネットワーク接続性が提供されている他のいずれかのアイテムまたはデバイスの１つ以上を含み、
前記送信機が、
マクロセル基地局、または
スモールセル基地局、または
衛星またはスペースのような、宇宙船、または
無人航空機システム（ＵＡＳ）、例えば、テザードＵＡＳ、空中ＵＡＳ（ＬＴＡ）よりも軽いもの、空中ＵＡＳ（ＨＴＡ）よりも重いもの、および高高度ＵＡＳプラットフォーム（ＨＡＰ）のような、空中ビークル、または
ネットワーク接続性が提供されたアイテムまたはデバイスが前記無線通信システムを使用して通信できるようにする任意の送受信ポイント（ＴＲＰ）の１つ以上を含む、請求項２５または２６に記載の無線通信システム。
【請求項２８】
逆高速フーリエ変換、ＩＦＦＴに基づく信号を使用するものであって、前記ＩＦＦＴに基づく信号は、ＣＰを伴うＯＦＤＭ、ＣＰを伴うＤＦＴ−ｓ−ＯＦＤＭ、ＣＰを伴わないＩＦＦＴに基づく波形、ｆ−ＯＦＤＭ、ＦＢＭＣ、ＧＦＤＭまたはＵＦＭＣを含む、請求項２５から２７のいずれか一項に記載の無線通信システム。
【請求項２９】
複数の受信機にサービスを提供する無線通信システムの送信機から無線信号を受信することで、前記無線信号は、前記送信機によってサービスが提供される前記複数の受信機に対して、複数の制御メッセージおよび前記制御メッセージの少なくとも１つに冗長制御メッセージを含むこと、
前記無線信号から制御メッセージを検出すること、
前記制御メッセージの検出に応答し、前記無線信号の別の位置から信号を検出すること、
前記他の位置から検出された前記信号に基づいて、前記検出された制御メッセージを前記受信機の特定の制御メッセージとして決定することを含む方法。
【請求項３０】
送信機によって無線通信システムの複数の受信機にサービスを提供すること、
前記送信機によって、無線信号を送信することで、前記無線信号は、前記送信機によってサービスを提供される前記複数の受信機に対して、複数の制御メッセージおよび前記制御メッセージのそれぞれに冗長制御メッセージを含むことを含む方法。
【請求項３１】
送信機によって無線通信システムの複数の受信機にサービスを提供すること、
前記送信機によって、無線信号を送信することで、前記無線信号は、前記送信機によってサービスが提供される前記複数の受信機に対して、複数の制御メッセージおよび前記制御メッセージのそれぞれに冗長制御メッセージを含むこと、
前記無線信号から制御メッセージを検出すること、
前記制御メッセージの検出に応答し、前記無線信号の別の位置から信号を検出すること、
前記他の位置から検出された前記信号に基づいて、前記検出された制御メッセージを前記受信機の特定の制御メッセージとして決定することを含む方法。
【請求項３２】
前記プログラムがコンピュータによって実行されるとき、前記コンピュータに請求項２９から３１のいずれか一項に記載の方法を実行させる命令を含むコンピュータプログラム製品。
【発明の詳細な説明】
【技術分野】
【０００１】
本出願は、無線通信ネットワークまたはシステムの分野に関し、より具体的には、超信頼性の高い通信を提供するシステムに関する。実施形態は、受信機またはユーザ機器、ＵＥが、基地局または別のＵＥのような送信機から受信した制御メッセージが実際にこの特定のＵＥを対象とする制御メッセージであるかどうかを評価することを可能にするアプローチに関する。
【背景技術】
【０００２】
図１は、コアネットワーク１０２および無線アクセスネットワーク１０４を含む地上無線ネットワーク１００の一例の概略図である。無線アクセスネットワーク１０４は、複数の基地局ｇＮＢ１からｇＮＢ５を含むことができ、各々は、それぞれのセル１０６１から１０６５によって概略的に表される基地局を囲む特定のエリアにサービスを提供する。基地局は、セル内のユーザにサービスを提供するために提供される。基地局、ＢＳという用語は、５ＧネットワークではｇＮＢ、ＵＭＴＳ／ＬＴＥ／ＬＴＥ−Ａ／ＬＴＥ−Ａ  ＰｒｏではｅＮＢ、その他のモバイル通信規格では単にＢＳを指す。ユーザは、固定デバイスまたはモバイルデバイスであり得、ユーザ機器（ＵＥ）、ユーザ端末またはモバイル端末（ＭＴ）と呼ばれ得る。さらに、無線通信システムは、基地局またはユーザ機器に接続するモバイルまたは固定のモノのインターネット（ＩｏＴ）デバイスによってアクセスされ得る。モバイルデバイスまたはＩｏＴデバイスは、物理デバイス、ロボットまたは車などの地上車両、有人または無人の航空機（ＵＡＶ）などの航空機、後者はドローンとも呼ばれ、建物、およびそこに埋め込まれた電子機器、ソフトウェア、センサー、アクチュエーターなどのほか、これらのデバイスが既存のネットワークインフラストラクチャ全体でデータを収集および交換できるようにするネットワーク接続性も有するその他のアイテムまたはデバイスも含み得る。図１は、５つのセルのみの例示的な図を示すが、無線通信システムは、より多くのそのようなセルを含み得る。図１は、セル１０６２にあり、基地局ｇＮＢ２によってサービスを提供される、ユーザ機器、ＵＥとも呼ばれる２つのユーザＵＥ１およびＵＥ２を示す。別のユーザＵＥ３は、基地局ｇＮＢ４によってサービスを提供されるセル１０６４に示されている。矢印１０８１、１０８２および１０８３は、ユーザＵＥ１、ＵＥ２およびＵＥ３から基地局ｇＮＢ２、ｇＮＢ４にデータを送信するため、または基地局ｇＮＢ２、ｇＮＢ４からユーザＵＥ１、ＵＥ２、ＵＥ３にデータを送信するためのアップリンク／ダウンリンク接続を概略的に表す。さらに、図１は、セル１０６４の２つのＩｏＴデバイス１１０１および１１０２を示しており、これらは固定デバイスまたはモバイルデバイスであり得る。ＩｏＴデバイス１１０１は、矢印１１２１によって概略的に表されるように、基地局ｇＮＢ４を介して無線通信システムにアクセスし、データを送受信する。ＩｏＴデバイス１１０２は、矢印１１２２によって概略的に表されるように、ユーザＵＥ３を介して無線通信システムにアクセスする。それぞれの基地局ｇＮＢ１からｇＮＢ５は、例えば、Ｓ１インターフェースを介して、それぞれのバックホールリンク１１４１から１１４５を介して、コアネットワーク１０２に接続されてもよく、これらは「コア」を指す矢印によって図１に概略的に表されている。コアネットワーク（ＣＮ）１０２は、１つ以上の外部ネットワークに接続されてもよい。さらに、それぞれの基地局ｇＮＢ１からｇＮＢ５のいくつかまたはすべては、例えば、ＮＲのＳ１またはＸ２インターフェースまたはＸＮインターフェースを介し、それぞれのバックホールリンク１１６１から１１６５を介���て互いに接続されてもよく、これらは「ｇＮＢ」を指す矢印によって図１に概略的に表されている。図１に図示する無線ネットワークまたは通信システムは、２つの異なるオーバーレイネットワークを有する異種ネットワーク、基地局ｇＮＢ１からｇＮＢ５のような、マクロ基地局を含む各マクロセルを伴うマクロセルのネットワーク、およびフェムトまたはピコ基地局のような、スモールセル基地局（図１には示されていない）のネットワークによる可能性がある。
【０００３】
データ送信には、物理リソースグリッドを使用できる。物理リソースグリッドは、様々な物理チャネルおよび物理信号がマッピングされるリソース要素または論理チャネルのセットを含むことができる。例えば、物理チャネルは、ダウンリンクおよびアップリンクペイロードデータとも呼ばれる、ユーザ固有のデータを搬送する物理ダウンリンクおよびアップリンク共有チャネル（ＰＤＳＣＨ、ＰＵＳＣＨ）、例えばマスタ情報ブロック（ＭＩＢ）およびシステム情報ブロック（ＳＩＢ）を搬送する物理ブロードキャストチャネル（ＰＢＣＨ）、例えばダウンリンク制御情報（ＤＣＩ）を搬送する物理ダウンリンクおよびアップリンク制御チャネル（ＰＤＣＣＨ、ＰＵＣＣＨ）などを含むことができる。アップリンクの場合、物理チャネルは、ＵＥが同期してＭＩＢおよびＳＩＢを取得すると、ネットワークにアクセスするためにＵＥによって使用される物理ランダムアクセスチャネル（ＰＲＡＣＨまたはＲＡＣＨ）をさらに含むことができる。別の例では、２つのＵＥが直接モード（Ｄ２Ｄ）で通信している。ＬＴＥネットワークでは、このインターフェースはＰＣ５として定義される。ここで、物理チャネルは、物理サイドリンク制御チャネル（ＰＳＣＣＨ）上で搬送されるサイドリンク制御情報（ＳＣＩ）、および物理サイドリンクデータチャネル（ＰＳＤＣＨ）を介して送信されるユーザデータを含む。
【０００４】
物理信号は、基準信号（ＲＳ）、同期信号などを含み得る。リソースグリッドは、時間領域で、１０ミリ秒のような特定の持続時間を有し、周波数領域で所与の帯域幅を有するフレームまたは無線フレームを含み得る。フレームは、所定の長さのある数のサブフレーム、例えば、１ミリ秒の長さを持つ２つのサブフレームを有することができる。各サブフレームは、サイクリックプレフィックス（ＣＰ）の長さに応じて、６または７個のＯＦＤＭシンボルの２つのスロットを含み得る。フレームは、例えば、短い送信時間間隔（ｓＴＴＩ）またはほんの数個のＯＦＤＭシンボルのみからなるミニスロット／非スロットベースのフレーム構造を利用する場合、より少ない数のＯＦＤＭシンボルで構成することもできる。
【０００５】
無線通信システムは、直交周波数分割多重化（ＯＦＤＭ）システム、直交周波数分割多重化接続（ＯＦＤＭＡ）システム、または他のいずれかのＣＰの有無にかかわらずＩＦＦＴベースの信号、例えばＤＦＴ−ｓ−ＯＦＤＭのような、周波数分割多重化を使用するいずれかのシングルトーンシステムまたはマルチキャリアシステムであり得る。複数のアクセスのための非直交波形などの他の波形、例えば、フィルターバンクマルチキャリア（ＦＢＭＣ）、汎用周波数分割多重化（ＧＦＤＭ）、またはユニバーサルフィルタードマルチキャリア（ＵＦＭＣ）が使用され得る。無線通信システムは、例えば、ＬＴＥ−Ａｄｖａｎｃｅｄ  ｐｒｏ規格または５ＧまたはＮＲ、Ｎｅｗ  Ｒａｄｉｏ、規格により、動作することができる。
【０００６】
図１に示される無線通信ネットワークでは、無線アクセスネットワーク１０４は、それぞれがマクロ基地局とも呼ばれるプライマリ基地局を含むプライマリセルのネットワークを含む異種ネットワークであり得る。さらに、スモールセル基地局とも呼ばれる複数のセカンダリ基地局が、マクロセルのそれぞれに提供され得る。
【０００７】
上記の地上無線ネットワークに加えて、非地上無線通信ネットワークも存在する。図２は、コアネットワーク１５２および無線アクセスネットワーク１５４を含む非地上無線通信ネットワーク１５０の一例の概略図である。図１の地上無線ネットワーク以外に、非地上無線ネットワーク１５０は、衛星のような複数の衛星搭載トランシーバ１５６、および／または無人航空機システムのような航空機搭載トランシーバ１５８を含む。それぞれの衛星搭載または航空機搭載のトランシーバ１５６、１５８は、上述の衛星または無人航空機システムのような、それぞれの宇宙船または航空機に実装されてもよい。トランシーバ１５６および１５８は、地上１６０またはその上方に提供される、図２に示されるＵＥまたはＩｏＴデバイス１１０のような１人以上のユーザにサービスを提供するために提供される。ＵＥおよびＩｏＴデバイスは、図１を参照して上述されたようなデバイスであり得る。矢印１５８１から１５８４は、ユーザＵＥ、１１０とそれぞれのトランシーバ１５６、１５８とでデータを通信するためのアップリンク／ダウンリンク接続を概略的に表す。トランシーバ１５６、１５８は、矢印１６２１、１６２２によって概略的に表されるように、コアネットワーク１５２に接続される。上述の非地上無線通信ネットワークまたはシステムは、例えば、ＬＴＥ−Ａｄｖａｎｃｅｄ  Ｐｒｏ規格または５ＧまたはＮＲ、Ｎｅｗ  Ｒａｄｉｏ、規格により、図１を参照して上述した地上システムと同様に動作することができる。
【０００８】
上述の無線通信ネットワークでは、様々なサービスを実装することができる。いくつかのサービスでは、超信頼性の高い通信、例えば、超信頼性の高い低レイテンシ延通信、ＵＲＬＬＣ、または信頼性の高い低レイテンシ通信、ＨＲＬＬＣサービスが必要になる場合がある。ＵＲＬＬＣは超低レイテンシで高い信頼性を目標としているため、超低レイテンシサービスを実装するシステムは、ほんの数ミリ秒のラウンドトリップタイム、ＲＴＴ、レイテンシ、例えば１ｍｓ  ＲＴＴをサポートする。このような短いＲＴＴレイテンシに対処するため、既知のアプローチでは、上述の短い送信時間間隔、ｓＴＴＩを使用する。低減されたＲＴＴはレイテンシの問題に対処するが、ＵＥで受信した制御情報の信頼性に密接に関連する信頼性の問題がまだある。データチャネルを改善することは、例えばコードレートを下げることおよび／または変調と符号化スキームを適応させることにより、単純明快であり得るが、このことは制御チャネルではそれほど単純明快ではない。例えば、物理ダウンリンク制御チャネル、ＰＤＣＣＨでサポートされる最低のコードレートは、ＰＤＣＣＨの実質的に固定された、柔軟性が低い構造のために制限される可能性がある。制御チャネルでの制御メッセージの受信に関しては、特に超信頼性の高いサービスまたはＵＲＬＬＣサービスの場合、欠落確率と誤検知確率が観察される。欠落確率は、制御チャネルでＤＣＩメッセージなどの制御メッセージを見落とす確率であり、誤検知確率は、ＵＥ向けではない制御メッセージを誤って検出または識別する確率であり、例えば、検出された信号がＵＥのＤＣＩメッセージではなかったにもかかわらず、有効なＣＲＣ（以下を参照）を生成するブラインド復号化プロセスの場合に発生する可能性がある。ＬＴＥテクノロジー（ＬＴＥ、ＬＴＥ−Ａ、ＬＴＥ−Ａ  Ｐｒｏ）の場合、後方互換性の理由により、ＵＲＬＬＣサービスをより良くサポートするために異なるチャネル符号化スキームを選択することはできないことに留意されたい。これにより、既存のＬＴＥユーザ端末との互換性が失われる。その上、本発明で提案される技術は、将来の無線規格、例えば、５Ｇ  ＮＲにも同様に適用可能なので、将来のセルラーテクノロジーの信頼性が強化され得る。
【０００９】
無線通信ネットワークでのダウンリンク、ＤＬ、無線フレームは、特定のＰＤＣＣＨが配置され得る場所または位置を定義するＰＤＣＣＨ領域を含む。ＰＤＣＣＨ領域は、信号を受信するとＵＥによって検索される。各ＰＤＣＣＨは、ダウンリンク制御情報、ＤＣＩのような、制御メッセージを搬送し、それは、ＵＥ固有の無線ネットワーク一時識別子、ＲＮＴＩによって識別される。ＲＮＴＩは、例えば、ＤＣＩのＣＲＣ添付ファイルで符号化される。ＤＣＩのＣＲＣは、Ｃ−ＲＮＴＩのような、ＵＥ固有のＲＮＴＩでスクランブルされる場合がある。図３は、異なる数の制御チャネル要素、ＣＣＥから形成される複数のＰＤＣＣＨを有するＰＤＣＣＨ領域の一例を概略的に示す。送信されるＤＣＩフォーマットのペイロードサイズとチャネル条件に応じて、基地局は、ＤＣＩパケットの送信に使用されるＣＣＥの数を定義する適切な集約レベルを選択できる。ＮＲ（５Ｇ）では、制御メッセージはＰＤＣＣＨにあり、１つ以上の制御チャネル要素、制御リソースセット内のＣＣＥ、ＣＯＲＥＳＥＴを含む。
【００１０】
図３からわかるように、ＰＤＣＣＨ検索スペースは、基地局によってサービスが提供されるすべてのＵＥによって監視され得る、共通の検索スペース、および少なくとも１つのＵＥによって監視されるＵＥ固有の検索スペースに分割される。各ＵＥは、このＵＥ専用の１つ以上のＤＣＩパケットを見つけるために、ＰＤＣＣＨ領域全体でブラインド復号化を実行する。ＤＣＩパケットは、例えば、今度のデータ送信中に使用されるリソースおよび他のパラメータを示す。
【００１１】
上述したように、ＵＥは、ブラインド復号化／ブラインド検出アプローチを含むＰＤＣＣＨ領域を検索することによって、その１つ以上のＤＣＩパッケージを取得することができる。図４は、特定のＵＥの１つ以上のＤＣＩパッケージをＰＤＣＣＨ領域内で見つけるためのブラインド復号化プロセスを概略的に示す。図４は、ＰＤＣＣＨ検索スペースとも呼ばれる、ＰＤＣＣＨ領域２００を概略的に示す。５つのＤＣＩパッケージＤＣＩ１からＤＣＩ５がＰＤＣＣＨ検索スペース２００に示されており、適切なデコーダを含む特定のＵＥは、この特定のＵＥのＤＣＩパケットを見つけるために有効なＣＲＣについてＰＤＣＣＨ検索スペース２００を検索する。図４に図示するように、畳み込みデコーダはＤＣＩパッケージＤＣＩ２から、制御データとスクランブルされたＣＲＣを含むデータを取得する。制御データとスクランブルされたＣＲＣは分離され、スクランブルされたＣＲＣはＵＥ固有のＲＮＴＩを使用してデスクランブルされ、結果のＣＲＣは制御データから計算されたＣＲＣと照合され、結果のＣＲＣと計算されたＣＲＣの一致はＤＣＩパッケージＤＣＩ２が実際には制御メッセージを復号化したＵＥの制御メッセージであることを示す。
【発明の概要】
【発明が解決しようとする課題】
【００１２】
しかしながら、上述のブラインド復号化アプローチでは、誤った復号化によって一致が見つかり、ＰＤＣＣＨ検索スペースにランダムなデータが生じる場合がある、すなわち、特定のＵＥのＤＣＩメッセージを表さないデータは、有効な制御メッセージとして誤って検出される可能性があり、誤検知ＤＣＩとも呼ばれる。このような誤った復号化は、約
2021514152.tif 000003
の確率で発生する可能性があり、ここで、ＭはＵＥによって実行されるブラインド検出の試行回数である。例えば、上述のような無線通信システムでは、そのような誤警報レートの確率は、非常に低く、約
2021514152.tif 000004
である（例えば、３ＧＰＰ  ＴＤＯＣ  Ｒ１−１７１９５０３：ＬＴＥ  ＵＲＬＬＣの信頼性への設計影響を参照）。言い換えると、ＵＥのような、受信機によって無線信号の制御領域から復号された制御メッセージが誤って復号化される可能性、すなわち、実際にはこのＵＥの制御メッセージではないのは、約
2021514152.tif 000005
の確率である。基本的に、これは標準または通常の通信サービスの問題ではない。しかしながら、超信頼性の高い通信サービスでは、パケットエラーが１０−５と低い確率が必要になる場合があるため、約
2021514152.tif 000006
の確率で検出された誤検知ＤＣＩは、誤検知ＤＣＩに基づき、別のＵＥの制御メッセージである可能性がある、ＵＥとして問題を引き起こし、ＵＥが、ＵＥへのデータ送信が成功しない可能性があるように、ＵＥのデータが受信されないリソースでデータ送信用に自らを構成する原因になる。これにより、例えば、後続のダウンリンクフレームでＵＥが正しいまたは真検知ＤＣＩを復号して、ＵＥが正しいリソースで基地局からデータを受信するためのパラメータを設定できるようになるまで、追加の遅延が生じる可能性がある。明らかに、このような遅延は従来の通信サービスまたは標準の通信サービスでは問題にならない可能性があるが、超信頼性の高い通信を必要とするサービスでは、このような誤検知制御メッセージの復号化／検出により遅延が増える可能性がある。その上、この誤った処理は処理リソースを必要とするため、ＵＥのバッテリー電力を消耗する。
【００１３】
上記のセクションの情報は、本発明の背景の理解を高めるためだけのものであり、したがって、当業者にすでに知られている先行技術を形成しない情報を含む場合があることに留意していただきたい。
【課題を解決するための手段】
【００１４】
説明された先行技術から始めて、本発明の根底にある目的は、無線信号から検出された制御メッセージを受信機の有効な制御メッセージであると確実に決定するための改善されたアプローチを提供することである。
【００１５】
この目的は、独立請求項で定義される主題によって達成され、有利なさらなる展開が係属中の請求項で定義されている。
【００１６】
次に、本発明の実施形態を、添付の図面を参照してさらに詳細に説明する。
【図面の簡単な説明】
【００１７】
【図１】地上無線通信システムの一例の示す概略図である。
【図２】非地上無線通信ネットワークの一例の概略図である。
【図３】異なる数の制御チャネル要素、ＣＣＥから形成される複数のＰＤＣＣＨを有するＰＤＣＣＨ領域の一例を概略的に示す図である。
【図４】特定のＵＥの１つ以上のＤＣＩパッケージをＰＤＣＣＨ領域内で見つけるためのブラインド復号化プロセスを概略的に示す図である。
【図５】本発明により動作する複数の送信機と複数のＵＥとで情報を通信するための無線通信システムの概略図である。
【図６（ａ）】２つのＰＤＣＣＨ領域間のマッピング、およびＵＥがＤＣＩと２つのＰＤＣＣＨ領域からの信号を組み合わせて、ＵＥのＤＣＩが有効かどうかを決定する方法を示す図であり、ＵＥがＤＣＩメッセージを有効なＤＣＩメッセージとして受け入れるシナリオ示す図である
【図６（ｂ）】２つのＰＤＣＣＨ領域間のマッピング、およびＵＥがＤＣＩと２つのＰＤＣＣＨ領域からの信号を組み合わせて、ＵＥのＤＣＩが有効かどうかを決定する方法を示す図であり、ＵＥがＤＣＩメッセージを誤検知ＤＣＩメッセージとして拒否するシナリオを示す図である。
【図７】本発明の実施形態により変更された既知のＤＣＩフォーマット１メッセージに基づくＤＣＩフォーマットメッセージを示す図である。
【図８】ＤＣＩメッセージおよびその複製が同じＰＤＣＣＨ領域内にある一実施形態を示す図である。
【図９（ａ）】制御領域に制御メッセージの複数の複製を配置するための実施形態を示す図であり、くし構造を示す図である。
【図９（ｂ）】制御領域に制御メッセージの複数の複製を配置するための実施形態を示す図であり、ｎオフセット構造を示す図である。
【図１０（ａ）】制御領域に制御メッセージの複数の複製を配置するための実施形態を示す、一ツリー構造である。
【図１０（ｂ）】制御領域に制御メッセージの複数の複製を配置するための実施形態を示す、一ツリー構造である。
【図１１】共通の検索スペースでの３つの複製の復号化を示す図である。
【図１２】ユニットまたはモジュール、ならびに本発明のアプローチにより説明される方法のステップが実行され得るコンピュータシステムの一例を示す図である。
【発明を実施するための形態】
【００１８】
次に、本発明の実施形態を、同じまたは同様の要素に同じ参照符号が割り当てられている添付の図面を参照してより詳細に説明する。
【００１９】
受信機、ＵＥについて、本発明のアプローチにより、復号化ＵＥの誤検知制御メッセージにつながる無線信号の制御領域からデータを誤って検出する問題に対処するために、ＤＣＩのような同じ制御メッセージの１つ以上の複製パケットが無線信号に含まれる。各制御メッセージは、例えば、上述のように、ＵＥのＣ−ＲＮＴＩによって一意に識別可能な場合がある。ＵＥが制御領域で制御メッセージを検出すると、ＵＥで既知の情報に基づいて、例えば、ＵＥで事前構成されている情報に基づいて、または検出された制御メッセージから導出された情報に基づいて、ＵＥは情報によって示される制御領域の位置から信号を読み取る。この信号に基づいて、ＵＥは検出された制御メッセージを評価し、制御ＤＣＩメッセージが有効または無効か、例えば、復号化ＵＥの真検知ＤＣＩ（有効）または誤検知ＤＣＩ（無効）メッセージであるかを決定する。例えば、検出されたＤＣＩメッセージおよび信号は、組み合わせまたは相関され得、その結果、組み合わせられたメッセージまたは相関値に基づいて、検出されたＤＣＩメッセージの有効性が評価され得る。
【００２０】
上記の要約された本発明のアプローチを実施するために、以下に説明されるような受信機、送信機、無線通信ネットワークおよび方法が提供される。
【００２１】
受信機
本発明は、受信機を提供するものであって、
受信機は、複数の受信機にサービスを提供する無線通信システムの送信機から無線信号を受信するように構成され、無線信号は、送信機によってサービス提供される複数の受信機に対して、複数の制御メッセージおよび制御メッセージの少なくとも１つに冗長制御メッセージを含むものであって、
受信機は、無線信号から制御メッセージを検出するように構成され、
受信機は、制御メッセージの検出に応答して、無線信号の別の位置から信号を検出するように構成され、
受信機は、他の位置から検出された信号に基づいて、検出された制御メッセージを受信機の特定の制御メッセージとして決定するように構成される。
【００２２】
本発明は、以下を含む方法を提供する、すなわち、
複数の受信機にサービスを提供する無線通信システムの送信機から無線信号を受信することで、無線信号は、送信機によってサービスが提供される複数の受信機に対して、複数の制御メッセージおよび制御メッセージの少なくとも１つに冗長制御メッセージを含むこと、
無線信号から制御メッセージを検出すること、
制御メッセージの検出に応答し、無線信号の別の位置から信号を検出すること、ならびに
他の位置から検出された信号に基づいて、検出された制御メッセージを受信機の特定の制御メッセージとして決定することである。
【００２３】
実施形態によれば、検出された制御メッセージを特定の制御メッセージとして決定するために、受信機は、検出された制御メッセージと他の位置から検出された信号とを組み合わせるか相関させるように構成される。
【００２４】
実施形態によれば、受信機は、
検出された制御メッセージと他の位置から検出された信号の組み合わせが検出された制御メッセージの信号品質以上の信号品質を有する場合、および／または復号可能なメッセージを得る場合、検出された制御メッセージが特定の制御メッセージであると決定し、ならびに
検出された制御メッセージと他の位置から検出された信号の組み合わせが検出された制御メッセージの信号品質未満の信号品質を有する場合、および／または復号不可能なメッセージを得る場合、例えば、結果のシーケンスが第１のものと一致しない、および／またはＣＲＣチェックに合格しない場合、検出された制御メッセージが特定の制御メッセージではないと決定するように構成される。
【００２５】
実施形態によれば、受信機は、
検出された制御メッセージと他の位置から検出された信号との相関により、所定の値以上の値が得られた場合、検出された制御メッセージが特定の制御メッセージであると決定し、および
検出された制御メッセージと他の位置から検出された信号との相関により、所定の値未満の値が得られた場合、検出された制御メッセージが特定の制御メッセージではないと決定するように構成される。
【００２６】
実施形態によれば、冗長制御メッセージは、
−増分冗長性を提供するための制御メッセージの特定の冗長バージョン、または
−制御メッセージのエラー修正コード、または
−制御メッセージの複製を含む。
【００２７】
実施形態によれば、
制御メッセージと冗長制御メッセージが無線信号の共通制御領域にある場合、他の位置は、共通制御領域で検出された制御メッセージに対する、または共通の制御領域の境界に対する時間および／または周波数および／または空間領域のオフセットを示し、
制御メッセージが無線信号の第１の制御領域にあり、冗長制御メッセージが無線信号の第２の制御領域にある場合、他の位置は、第２の制御領域の境界に対する時間および／または周波数および／または空間領域のオフセットを示す。
【００２８】
実施形態によれば、
無線信号は、送信機と受信機との第１のリンクを定義する、第１の無線信号、および送信機と受信機との第２のリンクを定義する、第２の無線信号を含むものであって、
共通制御領域は、第１および第２の無線信号の１つの一部であるか、または両方の無線信号の一部であり、
第１の制御領域は、第１および第２の無線信号の一部であり、第２の制御領域は、第１および第２の無線信号のもう一方である。
【００２９】
実施形態によれば、オフセットは、時間および／または周波数および／またはスペースでのオフセットを定義するか、またはいくつかの制御メッセージ要素でのオフセットを定義し、各制御メッセージは、１つ以上の制御メッセージ要素から形成される、例えば、制御チャネル要素（ＣＣＥ）または集約レベル（ＡＬ）である。
【００３０】
実施形態によれば、受信機は他の位置で事前構成されるか、または他の位置は制御メッセージで示される。
【００３１】
実施形態によれば、制御メッセージは、他の位置を明示的に示すか、または複数の事前構成された位置のうちの１つへの参照を含む。
【００３２】
実施形態によれば、
無線信号は、制御メッセージの少なくとも１つのさらなる冗長制御メッセージを含み、および
受信機は、無線の少なくとも１つのさらなる位置からさらなる信号を検出し、他の位置から検出された信号および／または少なくとも１つのさらなる位置から検出されたさらなる信号に基づいて、検出された制御メッセージを受信機の特定の制御メッセージとして決定するように構成される。
【００３３】
実施形態によれば、さらなる冗長制御メッセージは、
−増分冗長性を提供するための制御メッセージの特定の冗長バージョン、または
−制御メッセージのエラー修正コード、または
−制御メッセージの複製を含む。
【００３４】
実施形態によれば、冗長制御メッセージは、制御メッセージの第１の冗長バージョンを含むものであって、それぞれのさらなる冗長制御メッセージは、それぞれのさらなる冗長バージョンを含む。
【００３５】
実施形態によれば、無線信号の制御領域では、冗長制御メッセージおよび少なくとも１つのさらなる冗長制御メッセージは、特定の制御メッセージに対してオフセットされ、
くし構造を定義するために時間で、または
ｎオフセット構造を定義するために周波数で、ｎは無線信号の冗長制御メッセージの数であり、または
ツリー構造を定義するために時間と周波数である。
【００３６】
実施形態によれば、ツリー構造の子ノードでの信号の信号品質に基づいて、受信機は、最高の主要性能指標、ＫＰＩを持つツリーの復号化パスをたどるように構成され、それによって、ｋ冗長バージョンのログｋ復号化試行のみを必要とする。ＫＰＩは、信号品質および／または他のパラメータに基づいて計算され得る。
【００３７】
実施形態によれば、制御メッセージは、バイナリツリー構造により周波数領域、時間領域または空間領域に配置されるものであって、制御メッセージの２つ以上の冗長バージョンがそれぞれの子ノードに格納され、オフセットは、対応するルート／父ノードによって示される。
【００３８】
実施形態によれば、受信機は、検出された制御メッセージが特定の制御メッセージであると決定されるまで、または所定の数の検出試行に達するまで、または所定のタイマーが切れた後に無線信号のさらなる位置の１つ以上から１つ以上のさらなる信号を検出するように構成される。
【００３９】
実施形態によれば、受信機は、他の位置からの信号、および無線信号の少なくとも１つのさらなる位置からのさらなる信号を順次または並列に検出するように構成される。
【００４０】
実施形態によれば、
無線信号は、基地局のような送信機から受信機へのダウンリンク、ＤＬ、通信の一部で、
制御メッセージはＤＣＩメッセージを含み、
無線信号はダウンリンクフレームを含み、
ダウンリンクフレームは、少なくとも１つの物理ダウンリンク制御チャネル、ＰＤＣＣＨ、制御領域としての領域を含み、ＰＤＣＣＨ領域は、それぞれがＤＣＩメッセージまたは冗長ＤＣＩメッセージを搬送する複数のＰＤＣＣＨを含み、および
受信機は、制御メッセージのＣＲＣと受信機のＲＮＴＩに基づくブラインド検出を使用して、無線信号と他の位置の信号から制御メッセージを検出するように構成される。
【００４１】
実施形態によれば、
無線信号は、ユーザ機器のような送信機から受信機へのサイドリンク、ＳＬ、通信の一部で、
制御メッセージはＳＣＩメッセージを含み、
無線信号はサイドリンクフレームを含み、
ダウンリンクフレームは、少なくとも１つの物理サイドリンク制御チャネル、ＰＳＣＣＨ、制御領域としての領域を含み、ＰＳＣＣＨ領域は、それぞれがＳＣＩメッセージまたは冗長ＳＣＩメッセージを搬送する複数のＰＳＣＣＨを含み、および
受信機は、制御メッセージのＣＲＣと受信機のＲＮＴＩに基づくブラインド検出を使用して、無線信号と他の位置の信号から制御メッセージを検出するように構成される。
【００４２】
実施形態によれば、制御メッセージは、ＰＤＣＣＨに配置され、またはＰＳＣＣＨは、１つ以上の制御チャネル要素、制御リソースセット内のＣＣＥ、ＣＯＲＥＳＥＴを含む。
【００４３】
送信機
本発明は送信機を提供するものであって、
送信機は、無線通信システムの複数の受信機にサービスするように構成され、および
送信機は、無線信号を提供するように構成され、無線信号は、送信機によってサービスを提供される複数の受信機に対して、複数の制御メッセージおよび制御メッセージの少なくとも１つに冗長制御メッセージを含む。
【００４４】
本発明は、以下を含む方法を提供する、すなわち、
送信機によって無線通信システムの複数の受信機にサービスを提供すること、および
送信機によって、無線信号を送信することで、無線信号は、送信機によってサービスを提供される複数の受信機に対して、複数の制御メッセージおよび制御メッセージのそれぞれに冗長制御メッセージを含む。
【００４５】
実施形態によれば、特定の受信機は、無線信号の別の位置からの信号に基づいて、無線信号から検出された制御メッセージを特定の受信機の特定の制御メッセージとして決定する。
【００４６】
実施形態によれば、無線信号は、制御メッセージの少なくとも１つのさらなる冗長制御メッセージを含む。
【００４７】
無線通信システム
本発明は、以下を含む無線通信システムを提供する、すなわち、
本発明による１つ以上の受信機、および
本発明による１つ以上の送信機である。
【００４８】
本発明は、以下を含む方法を提供する、すなわち、
送信機によって無線通信システムの複数の受信機にサービスを提供すること、
送信機によって、無線信号を送信することで、無線信号は、送信機によってサービスが提供される複数の受信機に対して、複数の制御メッセージおよび制御メッセージのそれぞれに冗長制御メッセージを含むこと、
無線信号から制御メッセージを検出すること、
制御メッセージの検出に応答し、無線信号の別の位置から信号を検出すること、ならびに
他の位置から検出された信号に基づいて、検出された制御メッセージを受信機の特定の制御メッセージとして決定することである。
【００４９】
実施形態によれば、無線通信システムは、
地上ネットワーク、または
非地上ネットワーク、または
航空機または宇宙船を受信機として使用するネットワークまたはネットワークのセグメント、または
それらの組み合わせを含む。
【００５０】
実施形態によれば、
受信機は以下の１つ以上を含む、すなわち、
モバイルまたは固定端末、
ＩｏＴデバイス、
地上車両、
航空機、
ドローン、
建物、または
センサーまたはアクチュエーターのような無線通信システムを使用してアイテム／デバイスが通信できるようにするネットワーク接続性が提供されている他のいずれかのアイテムまたはデバイスであり、および
送信機は以下の１つ以上を含む、すなわち、
マクロセル基地局、または
スモールセル基地局、または
衛星またはスペースのような、宇宙船、または
無人航空機システム（ＵＡＳ）、例えば、テザードＵＡＳ、空中ＵＡＳ（ＬＴＡ）よりも軽いもの、空中ＵＡＳ（ＨＴＡ）よりも重いもの、および高高度ＵＡＳプラットフォーム（ＨＡＰ）のような、空中ビークル、または
ネットワーク接続性が提供されたアイテムまたはデバイスが無線通信システムを使用して通信できるようにする任意の送受信ポイント（ＴＲＰ）である。
【００５１】
実施形態によれば、逆高速フーリエ変換、ＩＦＦＴに基づく信号を使用するものであって、ＩＦＦＴに基づく信号は、ＣＰを伴うＯＦＤＭ、ＣＰを伴うＤＦＴ−ｓ−ＯＦＤＭ、ＣＰを伴わないＩＦＦＴに基づく波形、ｆ−ＯＦＤＭ、ＦＢＭＣ、ＧＦＤＭまたはＵＦＭＣを含む。
【００５２】
コンピュータプログラム製品
本発明は、プログラムがコンピュータによって実行されるとき、コンピュータに本発明による１つ以上の方法を実行させる命令を含むコンピュータプログラム製品を提供する。
【００５３】
本発明の実施形態は、上述のように、基地局のような送信機またはトランシーバ、およびモバイルまたは固定端末またはＩｏＴデバイスのような受信機またはユーザを含む、図１または図２に図示された無線通信システムまたはネットワークに実装され得る。図５は、基地局のような送信機２０１と、基地局２０１によってサービスを提供されるＵＥのような複数の受信機２０２、２０２’、２０２’’とで情報を通信するための無線通信システムの概略である。基地局２０１およびＵＥ２０２は、無線リンクのような、無線通信リンクまたはチャネル２０４を介して通信することができる。基地局２０１は、１つ以上のアンテナＡＮＴＴまたは複数のアンテナ要素を有するアンテナアレイ、および信号プロセッサ２０１ａを含む。基地局２０１は、本明細書で説明される本発明の教示により動作することができる。ＵＥ２０２は、１つ以上のアンテナＡＮＴＲまたは複数のアンテナ要素を有するアンテナアレイ、および信号プロセッサ２０２ａを含む。図５のそれぞれのＵＥ２０２、２０２’および２０２’’は、本明細書で説明される本発明の教示により動作することができる。
【００５４】
本発明のアプローチの一態様によれば、受信機２０２が提供される。受信機２０２は、例えば、そのアンテナＡＮＴＲを介して、無線通信システムの送信機２０１から無線信号２０４を受信する。送信機２０１は、複数の受信機２０２、２０２’、２０２’’にサービスを提供する。無線信号２０４は、送信機２０１によってサービスを提供される複数の受信機２０２、２０２’、２０２’’に対して、複数の制御メッセージＤＣＩ１からＤＣＩｎ、および制御メッセージＤＣＩ１−ＤＣＩｎの少なくとも１つに冗長制御メッセージＤＣＩ１’−ＤＣＩｎ’を含む。実施形態によれば、複数のまたはすべての制御メッセージに対して冗長制御メッセージを提供することができる。他の実施形態によれば、無線信号２０４は、例えば、本発明のアプローチにより動作していないレガシーＵＥまたは受信機のために、冗長制御メッセージが提供されない１つ以上の制御メッセージを含み得る。受信機２０２は、例えば、その信号プロセッサ２０２ａを使用して、無線信号２０４から制御メッセージＤＣＩを検出する。制御メッセージＤＣＩの検出に応答して、受信機２０２は、無線信号の別の位置から信号を検出する。受信機２０２は、他の位置から検出された信号に基づいて、検出された制御メッセージＤＣＩを受信機の特定の制御メッセージとして決定する。
【００５５】
本発明のアプローチの別の態様によれば、送信機２０１が提供される。送信機２０１は、無線通信システムの複数の受信機２０２、２０２’、２０２’’にサービスを提供する。送信機２０１は、例えば、その信号プロセッサ２０１ａを使用して、送信機２０１によってサービスを提供される複数の受信機２０２、２０２’、２０２’’に対して複数の制御メッセージＤＣＩ１−ＤＣＩｎおよび制御メッセージの少なくとも１つに冗長制御メッセージＤＣＩ１’−ＤＣＩｎ’を含む無線信号２０４を提供する。さらに送信機に関して、実施形態によれば、冗長制御メッセージが、複数またはすべての制御メッセージに対して提供されてもよいことに留意していただきたい。他の実施形態によれば、無線信号２０４は、例えば、本発明のアプローチにより動作していないレガシーＵＥまたは受信機のために、冗長制御メッセージが提供されない１つ以上の制御メッセージを含み得る。
【００５６】
したがって、本発明のアプローチによれば、次ではＤＣＩまたはＤＣＩメッセージとも呼ばれる、同じ制御メッセージの所定の数の複製されたパケットが、同じＵＥに対して送信される。元のパケットおよび複製されたパケットは、例えば、時間領域で所定の持続時間を有し、周波数領域で複数の副搬送波にまたがる同じＰＤＣＣＨ領域で送信されてもよい。他の実施形態によれば、パケットおよびその複製バージョンは、異なるＰＤＣＣＨ領域で送信されてもよく、例えば、元のパケットは、周波数領域の第１の数のキャリアにわたる特定の持続時間の第１のＰＤＣＣＨ領域で送信されてもよく、一方、複製されたパケットは、時間領域で同じまたは異なる持続時間を有し、周波数領域でサブキャリアの異なるセットにまたがる第２のＰＤＣＣＨ領域で送信されてもよい。さらに他の実施形態によれば、第２のＰＤＣＣＨ領域は別の空間領域にあってもよく、例えば、第１のＰＤＣＣＨ領域は、基地局のような送信機の１つ以上の第１のアンテナから送信される送信の一部であってもよく、第２のＰＤＣＣＨ領域は、送信機の１つ以上の第２のアンテナから送信される送信の一部であってもよい。第２のＰＤＣＣＨ領域のコードワードは、スペース時間またはスペース周波数ブロックコードなど、任意の空間ダイバーシティ技術を使用して送信することができ、例えば、第１のＰＤＣＣＨ領域で送信された元のコードワードの複素共役または負の複素共役を利用するＡｌａｍｏｕｔｉ符号化などのスキームを使用する。
【００５７】
ＤＣＩメッセージの複製パケットは、冗長情報を含むが、元のＤＣＩメッセージまたはＤＣＩパケットよりも小さいかまたは等しいかまたはより大きいパケットサイズを有するパケットを含み得る。実施形態によれば、複製されたパケットは、同一のコンテンツを持ち、同じまたは異なる符号化スキームを使用するパケットの正確なコピーであり得、またはそれは、第１のパケットに関する冗長情報を含む元のパケットと同じまたは異なるサイズのパケットであり得る。例えば、冗長情報を含む場合、冗長制御メッセージは、増分冗長性を提供するために制御メッセージの特定の冗長バージョンを含むことができ、または当初送信された制御メッセージのエラー訂正コードを含むことができる。他の実施形態によれば、上述のように、関連する制御メッセージは、制御メッセージの複製であってもよい。
【００５８】
本発明のアプローチは、重複したパッケージを送ることによって、誤検知検出確率を低下させる。例えば、検出されたＤＣＩメッセージと無線信号の既知の位置で検出された信号とを組み合わせることができる。例えば、検出されたＤＣＩメッセージと他の位置からの信号を組み合わせて組み合わせＤＣＩメッセージにするとき、信号が検出されたＤＣＩメッセージに関連するデータを表す場合、組み合わせＤＣＩメッセージの信号品質は、検出されたＤＣＩメッセージの信号品質よりも高くなり、検出されたＤＣＩメッセージは、検出しているＵＥの真検知または有効なＤＣＩメッセージと見なされる。一方、信号が検出されたＤＣＩメッセージに関連するデータを表していない場合、組み合わせされた信号の信号品質は検出されたＤＣＩメッセージの信号品質よりも低くなり、検出されたＤＣＩメッセージは検出しているＵＥの誤検知または無効なＤＣＩメッセージと見なされる。信号品質は、トレリスベース（Ｖｉｔｅｒｂｉなど）または連続キャンセルベースのデコーダ、または信念伝播ベースのデコーダ、例えば、Ｓｕｍ−Ｐｒｏｄｕｃｔ、Ｍｉｎ−Ｓｕｍ、およびＴｕｒｂｏ−Ｄｅｃｏｄｅｒの収束動作の関連するパス確率によって測定できる。
【００５９】
他の実施形態によれば、ＤＣＩメッセージと他の位置からの信号を組み合わせＤＣＩメッセージに組み合わせることが、有効なＤＣＩメッセージを示す、復号可能なメッセージをＵＥで形成するかどうかを判断することができるが、組み合わせＤＣＩメッセージがＵＥで復号可能でないことはＵＥの無効なＤＣＩメッセージであることを示す。復号可能でないことは、誤検知ＤＣＩのＣＲＣチェックとは対照的に、組み合わせされたメッセージのＣＲＣチェックが無効であることを意味する。
【００６０】
さらに他の実施形態によれば、例えば、元のＤＣＩメッセージの複製を使用するとき、検出されたＤＣＩメッセージと他の位置からの信号を組み合わせる代わりに、検出されたＤＣＩメッセージと他の位置からの信号の相関が、実行され得る。例えば、所定のしきい値以上の高い相関値は、ＤＣＩメッセージと他の位置からの信号が同じＤＣＩメッセージに関連しているため、ＤＣＩメッセージが真検知または有効であると判断されることを示すが、相関値が低い場合、例えば、所定のしきい値を下回っている場合は、ＤＣＩメッセージと他の位置からの信号が互いに関連していないため、検出されたＤＣＩメッセージは、復号化ＵＥの誤検知または無効なＤＣＩメッセージであると見なされることを示す。
【００６１】
さらなる位置から取得された信号が検出されたＤＣＩメッセージの重複パケットを表すデータを含む場合、ＵＥはＤＣＩパケットまたは送信の両方を組み合わせて、例えば、大きなＣＲＣを使用して新しいＤＣＩフォーマットを導入することなく、例えば、より低いコードレートおよび周波数ダイバーシティを達成することができる。したがって、本発明のアプローチは、重複するパッケージを送信することによって、欠落確率を低くすることもできる。
【００６２】
次に、本発明のアプローチの実施形態の上記の要約された機能を、２つのＰＤＣＣＨ領域間のマッピング、およびＵＥのＤＣＩが有効かどうかを決定するために、ＵＥがＤＣＩとそれぞれの領域からの信号とを組み合わせる方法を示す図６を参照して、より詳細に説明する。図６（ａ）は、ＵＥがＤＣＩメッセージを有効なＤＣＩメッセージとして受け入れるシナリオを示し、図６（ｂ）は、ＵＥがＤＣＩメッセージをＵＥのＤＣＩメッセージではない誤検知ＤＣＩメッセージとして拒否するシナリオを示す。図６では、元のＤＣＩメッセージが第１のＰＤＣＣＨ領域２００で送信され、複製バージョンが第２のＰＤＣＣＨ領域２００’で送信されると想定される。他の実施形態によれば、ＤＣＩメッセージおよびその複製は、同じＰＤＣＣＨ領域で送信されてもよい。図６（ａ）では、ＵＥは、例えば、図４を参照して上述した方法でＰＤＣＣＨ領域２００のすべてのＤＣＩメッセージのブラインド復号化を実行することによって、第１のＰＤＣＣＨ領域２００からＤＣＩメッセージ２１０を検出する。ＵＥは、第１の領域２００からの第１のＤＣＩメッセージ２１０の検出に応答して、ＤＣＩメッセージ２１０の冗長バージョンまたは複製が位置する第２のＰＤＣＣＨ領域２００’の第２の位置または領域２１２から信号を読み取る。ＵＥは複製バージョンの位置２１２を知っているが、この部分での復号化は、例えば、チャネル上のノイズまたは干渉の点から見た悪い信号のために失敗する可能性がある。それにもかかわらず、ＤＣＩメッセージ２１０の複製に関連付けられたデータまたは情報を含むかまたは表すいくつかの信号が、位置または領域２１２から得られる。したがって、第１の領域２００から検出されたＤＣＩメッセージ２１０と第２の制御領域２００’の領域２１２からの信号を組み合わせると、組み合わされたメッセージは、ＵＥで復号可能になるか、または検出されたＤＣＩメッセージ２１０の信号品質のみと比べると、増大する信号品質を有するようになる。したがって、ＵＥは組み合わせＤＣＩメッセージを、ＵＥの有効なまたは真検知のＤＣＩメッセージとして認識する。当然のことながら、ＤＣＩメッセージが検出および復号化できるＰＤＣＣＨ領域２００’であり、ＰＤＣＣＨ領域２００のＤＣＩメッセージではない場合、上述と同じアプローチが適用され、すなわち、領域２００’から検出されたＤＣＩメッセージが有効かどうかを引き続き決定できる。
【００６３】
図６（ａ）では、それぞれのＰＤＣＣＨ領域２００、２００’のＤＣＩ２１０およびエリア２１２は、それぞれの領域の上部／下部境界からのオフセット位置に示され、ＵＥは、ＵＥにシグナリングされたオフセットのために、それぞれのＰＤＣＣＨ領域からのどのデータが組み合わせＤＣＩメッセージ２１４に組み合わされるべきかを知っている。
【００６４】
図６（ｂ）は、ＵＥが誤検知ＤＣＩメッセージを認識するシナリオを示す。ＵＥは、ＰＤＤＣＨ領域２００から、実際にはＵＥを対象としていないＤＣＩメッセージ２１６を誤って検出する。ＤＣＩメッセージ２１６の検出に応答して、ＵＥは、既知のオフセットに基づいて、第２のＰＤＣＣＨ領域２００’から領域２１２から信号を読み取る。検出されたＤＣＩメッセージ２１６およびエリア２１２からの信号は、組み合わせＤＣＩメッセージ２１４に組み合わせされる。しかしながら、ＵＥが無線信号でのその重複ＤＣＩメッセージの位置で事前構成されている場合、エリア２１２での信号は、検出されたＤＣＩメッセージ２１６とは異なるＤＣＩメッセージに関連する。検出されたＤＣＩメッセージ２１６に重複が見つかる可能性のある情報が含まれている場合、エリア２１２からの信号を検出しているＵＥは、重複したＤＣＩメッセージが異なるＵＥのＲＮＴＩに関連付けられているため、この位置から意味のある情報をまったく検出できない。いずれの場合も、エリア２１２からの信号は、ＤＣＩメッセージ２１６に関連する情報をまったく提供しないため、ＤＣＩメッセージ２１６と組み合わされると、組み合わされたメッセージの信号品質は、ＤＣＩメッセージ２１６の信号品質よりも低くなるか、または組み合わせされたメッセージは復号できない場合があり、ＵＥはＤＣＩメッセージ２１６を誤検知ＤＣＩメッセージとして認識し、ＤＣＩメッセージを拒否する。
【００６５】
図６（ａ）および図６（ｂ）を参照して説明された実施形態では、複製ＤＣＩメッセージは、ＤＣＩと組み合わされたとき、組み合わせＤＣＩメッセージが有効であるかどうかに関する判断を可能にするいくつかの冗長情報を含むと想定されている。制御メッセージの複製を使用するとき、他の実施形態によれば、検出されたＤＣＩメッセージ２１０、２１６および他の領域２１２からの信号との相関を行って、組み合わせＤＣＩメッセージの有効性を決定することができる。
【００６６】
上述のように、ＵＥは、その複製または冗長ＤＣＩメッセージの位置を認識しており、基地局は、例えば、図６に図示されるような方法でＰＤＣＣＨ領域２００、２００’の境界を参照してオフセットを構成することができる。ＵＥは、他の送信に対するそのＤＣＩメッセージの複製の送信の位置を認識している場合がる。オフセットのように、複製の位置は、例えば、ＲＲＣシグナリングを使用して事前構成することができる。例えば、図６を参照して説明した実施形態を考慮すると、オフセットの事前構成により、ブラインド検出を使用してＤＣＩメッセージを検出するＵＥは、冗長制御メッセージを探す位置を認識している。図６（ａ）の実施形態では、ＵＥが第１のＰＤＣＣＨ領域２００’から有効なＤＣＩメッセージを検出した場合、ＵＥが既知の位置から検索することができる信号は、検出されたＤＣＩメッセージにも関連付けられるのに対して、図６（ｂ）では、第２のＰＤＣＣＨ領域２００’の位置２１２からの信号は、ＤＣＩメッセージ２１６に関連していない。
【００６７】
さらに他の実施形態によれば、オフセットを事前構成するのではなく、ＤＣＩメッセージ自体が、オフセットのような位置についての情報を含むことができる。新しいＤＣＩフィールドは、例えば、ＰＤＣＣＨ領域の境界からのいくつかのＣＣＥでの複製オフセットを示すＤＣＩメッセージに含まれ得る。オフセットのサイズは、集約レベルと帯域幅によって異なる場合がある。図７は、一実施形態により変更された既知のＤＣＩフォーマット１メッセージに基づくＤＣＩフォーマットメッセージを示し、第２のエントリまたはフィールドは複製オフセットを示す。他の実施形態によれば、ＣＣＥの数またはオフセットの別の指示がシグナリングされてもよく、またはＵＥで既知の複数の事前構成されたオフセットの１つを指すインデックスのように、特定の事前構成されたオフセットの指示が含まれてもよい。このアプローチは、ＤＣＩスケジューリングの柔軟性を高めながら、図６を参照して前述したのと同じ効果を達成する。
【００６８】
図８は、ＤＣＩメッセージおよびその複製が、例えば、ＤＣＩメッセージ自体に示され得るか、またはＵＥが事前構成され得る同じオフセットにより、同じＰＤＣＣＨ領域２００内にある一実施形態を示す。
【００６９】
他の実施形態によれば、本発明は、ＤＣＩメッセージの単一の複製パケットのみに限定されるのではなく、ＤＣＩ冗長性は、ｎ個の複製、ｎ＝１、２、３、…Ｎをシグナリングすることによってさらに強化され得る。可変または固定オフセットを持つ、図９（ａ）に示すようにくし構造に、または図９（ｂ）に示すようにｎオフセット構造に配置することができる。くし構造では、ＤＣＩの複製は時間または周波数領域のみのオフセットに配置できるが、ｎオフセット構造では、複製は時間と周波数のオフセットで配置できる。
【００７０】
さらに他の実施形態によれば、ｎ個の複製は、図１０（ａ）および図１０（ｂ）に示されるようなツリー構造により配置されてもよい。制御メッセージは、バイナリツリー構造により、周波数領域、時間領域、または空間領域に配置されるものであって、元の制御メッセージはルートノードに格納され、制御メッセージの複数の冗長バージョンは、それぞれの子ノードに格納される。オフセットは、対応するルート／父ノードによって示されてもよい。ツリー構造の子ノードでの信号の信号品質に基づいて、受信機は、最高の主要性能指標、ＫＰＩを持つツリーの復号化パスをたどることができ、それによって、ｋ冗長バージョンのログｋ復号化／検出のみを必要とするので、ＤＣＩ内の検索スペースを制限することにより、ＵＥのブラインド検索の速度を向上させる。
【００７１】
実施形態によれば、ＵＥは、それぞれのＤＣＩメッセージおよびそれらの複製を順次検出または復号するか、またはＵＥの復号化能力／容量に応じてｘ≦ｎ並列復号化プロセスを使用し、それに応じてＤＣＩを組み合わせることによって、誤検知の検出をさらに減らすことさえできる。ＰＤＣＣＨ領域内のツリー構造により冗長ＤＣＩを配置すると、これによって検索スペース内のＤＣＩの検出速度がＯ（ｌｏｇ  ｎ）に低下する場合があり、ここで、ｎは検索スペースのサイズであり、レイテンシ要件および復号化の成功に依存しており、図１１に概略的に図示されているように、ＵＥはそれに応じて検索スペースを利用し、ｌｏｇ  ｎオフセットステップでブラインド検出／復号のみをチェックする場合がある。
【００７２】
上述の実施形態によれば、無線信号は、基地局のような送信機から受信機へのダウンリンク、ＤＬ、通信の一部である。そのようなシナリオでは、制御メッセージはＤＣＩメッセージであり得、無線信号はダウンリンクフレームを含み、ダウンリンクフレームは少なくとも１つの物理ダウンリンク制御チャネル、ＰＤＣＣＨ、制御領域としての領域、複数のＰＤＣＣＨを含むＰＤＣＣＨ領域を含み、それぞれがＤＣＩメッセージまたは冗長ＤＣＩメッセージを搬送し、受信機は、制御メッセージのＣＲＣと受信機のＲＮＴＩに基づくブラインド検出を使用して、無線信号と他の位置の信号から制御メッセージを検出する。
【００７３】
しかしながら、本発明のアプローチは、ＤＬ通信に限定されない。他の実施形態によれば、無線信号は、Ｖ２ＶまたはＶ２ＸまたはＤ２Ｄ通信で発生する可能性があるので、ユーザ機器のような送信機から受信機へのサイドリンク、ＳＬ、通信の一部であり得る。そのようなシナリオでは、制御メッセージはＳＣＩメッセージであり得、無線信号はサイドリンクフレームを含み、ダウンリンクフレームは少なくとも１つの物理サイドリンク制御チャネル、ＰＳＣＣＨ、制御領域としての領域、複数のＰＳＣＣＨを含むＰＳＣＣＨ領域を含み、それぞれがＳＣＩメッセージまたは冗長ＳＣＩメッセージを搬送し、受信機は、制御メッセージのＣＲＣと受信機のＲＮＴＩに基づくブラインド検出を使用して、無線信号と他の位置の信号から制御メッセージを検出するように構成される。
【００７４】
実施形態によれば、制御メッセージは、ＰＤＣＣＨまたはＰＳＣＣＨＨに配置され得、１つ以上の制御チャネル要素、制御リソースセット内のＣＣＥ、ＣＯＲＥＳＥＴを含む。
【００７５】
説明された概念のいくつかの態様は装置の文脈で説明されたが、これらの態様は対応する方法の説明も表すことは明らかであり、ここで、ブロックまたはデバイスは方法ステップまたは方法ステップの特徴に対応する。同様に、方法ステップの文脈で説明された態様は、対応する装置の対応するブロックまたはアイテムまたは特徴の説明も表す。
【００７６】
本発明の様々な要素および特徴は、アナログおよび／またはデジタル回路を使用するハードウェアで、ソフトウェアで、１つ以上の汎用または専用プロセッサによる命令の実行を通じて、またはハードウェアとソフトウェアの組み合わせとして実装され得る。例えば、本発明の実施形態は、コンピュータシステムまたは別の処理システムの環境で実装されてもよい。図１２は、コンピュータシステム３５０の一例を示す。ユニットまたはモジュール、ならびにこれらのユニットによって実行される方法のステップは、１つ以上のコンピュータシステム３５０で実行することができる。コンピュータシステム３５０は、専用または汎用デジタル信号プロセッサのような１つ以上のプロセッサ３５２を含む。プロセッサ３５２は、バスまたはネットワークのような通信インフラストラクチャ３５４に接続される。コンピュータシステム３５０は、例えば、ランダムアクセスメモリ（ＲＡＭ）などのメインメモリ３５６、および例えば、ハードディスクドライブおよび／またはリムーバブルストレージドライブなどの二次メモリ３５８を含む。二次メモリ３５８は、コンピュータプログラムまたは他の命令がコンピュータシステム３５０にロードされることを可能にし得る。コンピュータシステム３５０は、ソフトウェアおよびデータがコンピュータシステム３５０と外部デバイスとで転送されることを可能にする通信インターフェース３６０をさらに含み得る。通信は、電子、電磁気、光、または通信インターフェースによって処理できる他の信号からのものであり得る。通信は、ワイヤーまたはケーブル、光ファイバー、電話回線、携帯電話リンク、ＲＦリンクおよび他の通信チャネル３６２を使用することができる。
【００７７】
「コンピュータプログラム媒体」および「コンピュータ可読媒体」という用語は、一般に、リムーバブルストレージユニットまたはハードディスクドライブにインストールされたハードディスクなどの有形の記憶媒体を指すために使用される。これらのコンピュータプログラム製品は、コンピュータシステム３５０にソフトウェアを提供するための手段である。コンピュータ制御ロジックとも呼ばれるコンピュータプログラムは、メインメモリ３５６および／または二次メモリ３５８に格納される。コンピュータプログラムはまた、通信インターフェース３６０を介して受信され得る。コンピュータプログラムは、実行されると、コンピュータシステム３５０が本発明を実装することを可能にする。特に、コンピュータプログラムは、実行されると、プロセッサ３５２が、本明細書で説明されている方法のいずれかなどの本発明のプロセスを実装することを可能にする。したがって、そのようなコンピュータプログラムは、コンピュータシステム３５０のコントローラを表すことができる。本開示がソフトウェアを使用して実装される場合、ソフトウェアは、コンピュータプログラム製品に格納され、リムーバブルストレージドライブ、通信インターフェース３６０のようなインターフェースを使用してコンピュータシステム３５０にロードされてもよい。
【００７８】
ハードウェアまたはソフトウェアでの実装は、そこに電子的に読み取り可能な制御信号が格納され、それぞれの方法が実行されるようにプログラム可能なコンピュータシステムと協働する（または協働することができる）デジタルストレージメディア、例えばクラウドストレージ、フロッピーディスク、ＤＶＤ、ブルーレイ、ＣＤ、ＲＯＭ、ＰＲＯＭ、ＥＰＲＯＭ、ＥＥＰＲＯＭ、フラッシュメモリを使用して実行できる。したがって、デジタル記憶媒体は、コンピュータ可読であり得る。
【００７９】
本発明によるいくつかの実施形態は、本明細書で説明した方法の１つが実行されるように、プログラム可能なコンピュータシステムと協働することができる電子的に読み取り可能な制御信号を有するデータキャリアを含む。
【００８０】
一般に、本発明の実施形態は、プログラムコードを持つコンピュータプログラム製品として実装されてもよく、プログラムコードは、コンピュータプログラム製品がコンピュータ上で実行されるときに方法の１つを実行するように動作する。プログラムコードは、例えば、機械可読キャリアに格納されてもよい。
【００８１】
他の実施形態は、機械可読キャリアに格納され、本明細書で説明した方法の１つを実行するためのコンピュータプログラムを含む。言い換えれば、本発明の方法の一実施形態は、したがって、コンピュータプログラムがコンピュータ上で実行されるとき、本明細書で説明した方法の１つを実行するためのプログラムコードを有するコンピュータプログラムである。
【００８２】
したがって、本発明の方法のさらなる実施形態は、本明細書で説明した方法の１つを実行するためのコンピュータプログラムを含み、それに記録したデータキャリア（またはデジタル記憶媒体、またはコンピュータ可読媒体）である。したがって、本発明の方法のさらなる実施形態は、本明細書で説明した方法の１つを実行するためのコンピュータプログラムを表すデータストリームまたは信号のシーケンスである。データストリームまたは信号のシーケンスは、例えば、インターネットなどのデータ通信接続を介して転送されるように構成されてもよい。さらなる実施形態は、本明細書で説明した方法の１つを実行するように構成または適合された処理手段、例えば、コンピュータまたはプログラム可能なロジックデバイスを含む。さらなる実施形態は、本明細書で説明した方法の１つを実行するためのコンピュータプログラムがインストールされているコンピュータを含む。
【００８３】
いくつかの実施形態では、プログラム可能なロジックデバイス（例えば、フィールドプログラマブルゲートアレイ）を使用して、本明細書で説明した方法の機能のいくつかまたはすべてを実行することができる。いくつかの実施形態では、フィールドプログラマブルゲートアレイは、本明細書で説明した方法の１つを実行するために、マイクロプロセッサと協働し得る。一般に、方法は、好適には、任意のハードウェア装置によって実行される。
【００８４】
上述の実施形態は、本発明の原理を単に例示するものである。本明細書で説明した構成および詳細の変更および変形は、当業者には明らかであることを理解していただきたい。したがって、すぐ後の特許請求の範囲によってのみ限定され、本明細書の実施形態の説明および説明の目的で提示された特定の詳細によって限定されないことが意図されている。
【図１】
2021514152.tif 000007
【図２】
2021514152.tif 000008
【図３】
2021514152.tif 000009
【図４】
2021514152.tif 000010
【図５】
2021514152.tif 000011
【図６（ａ）】
2021514152.tif 000012
【図６（ｂ）】
2021514152.tif 000013
【図７】
2021514152.tif 000014
【図８】
2021514152.tif 000015
【図９（ａ）】
2021514152.tif 000016
【図９（ｂ）】
2021514152.tif 000017
【図１０（ａ）】
2021514152.tif 000018
【図１０（ｂ）】
2021514152.tif 000019
【図１１】
2021514152.tif 000020
【図１２】
2021514152.tif 000021
【国際調査報告】
2021514152.tif 000022
2021514152.tif 000023
2021514152.tif 000024